(57)【要約】【課題】本発明は、上記の課題に対処し、冷却が良く行なわれ、騒音の低減も良く行なわれる電動送風機を提供することを目的とする。【解決手段】本発明は、電動機部と送風機部とを備え、前記電動機部は、ステータとロータを有し、前記送風機部は、ファンと、前記ファンが吐出した空気の流を外周方向に導くようにファンの周囲を囲うように配置された複数のディフューザが形成される通風案内部材と、前記ファンおよび前記通風案内部材を覆うファンケーシングカバーを有するところの電動送風機において、前記ステータは、内側にステータコアを支持する内側ケーシングと、前記内側ケーシングを内置し、内側ケーシング外周との間に前記通風案内部材を通過した空気を流すケーシング通風路を形成する外側ケーシングと、前記ケーシング通風路を流れて内側ケーシング内に流入した空気を前記外側ケーシングの外に排出するケーシング排出通路を有することを特徴とする。【選択図】図３
2007332848.tif 000002
【特許請求の範囲】
【請求項１】
電動機部と送風機部とを備え、
前記電動機部は、ステータとロータを有し、
前記送風機部は、ファンと、前記ファンが吐出した空気の流を外周方向に導くようにファンの周囲を囲うように配置された複数のディフューザが形成される通風案内部材と、前記ファンおよび前記通風案内部材を覆うファンケーシングカバーを有するところの電動送風機において、
前記ステータは、内側にステータコアを支持する内側ケーシングと、前記内側ケーシングを内置し、内側ケーシング外周との間に前記通風案内部材を通過した空気を流すケーシング通風路を形成する外側ケーシングと、前記ケーシング通風路を流れて内側ケーシング内に流入した空気を前記外側ケーシングの外に排出するケーシング排出通路を有することを特徴とする電動送風機。
【請求項２】
電動機部と送風機部とを備え、
前記電動機部は、ステータとロータを有し、
前記送風機部は、ファンと、前記ファンが吐出した空気の流を外周方向に導くようにファンの周囲を囲うように配置された複数のディフューザが形成される通風案内部材と、前記ファンおよび前記通風案内部材を覆うファンケーシングカバーとを有するところの電動送風機において、
前記ステータは、内側にステータコアを支持する内側ケーシングと、前記内側ケーシングを内置する外側ケーシングとを有し、
さらに前記ステータは、前記通風案内部材の外周側と前記ファンケーシングカバーの内周との間に存在し、前記ディフューザを流出した空気の流れを前記ファンの回転軸心線方向に変える変更流路と、前記内側ケーシングの外周と前記外側ケーシングの内周との間に形成されたケーシング通風路とを有し、
前記変更流路の流出側と前記ケーシング通風路の流入側が前記回転軸心線方向に沿って対向し、連通していることを特徴とする電動送風機。
【請求項３】
請求項２記載の電動送風機において、
前記ケーシング通風路を流れて前記内側ケーシング内に流入した空気を前記外側ケーシングの外に排出するケーシング排出通路を有することを特徴とする電動送風機。
【請求項４】
請求項１または３記載の電動送風機において、
前記内側ケーシングは、前記ケーシング通風路に流れた空気を内側ケーシング内に導く内側ケーシング流入口を有することを特徴とする電動送風機。
【請求項５】
請求項４記載の電動送風機において、
前記内側ケーシング流入口は、前記ファンから離れた前記内側ケーシングの端側に位置することを特徴とする電動送風機。
【請求項６】
請求項１または３記載の電動送風機において、
前記ケーシング排出通路は、前記ケーシング通風路を貫くように設けられ、ケーシング通風路との気密が保たれていることを特徴とする電動送風機。
【請求項７】
請求項５記載の電動送風機において、
前記内側ケーシングは、前記ケーシング通風路に流れた空気を内側ケーシング内に導く内側ケーシング流入口を有し、
前記内側ケーシング流入口は前記ファンから離れた位置に、前記ケーシング排出通路は前記ファンに近い位置に配置されていることを特徴とする電動送風機。
【請求項８】
請求項６記載の電動送風機において、
前記ディフューザは、外周側が前記ファンの回転方向に向かって延びる湾曲した形状を有し、
前記ケーシング排出通路を形成する外殻は、前記ケーシング通風路を流れる空気の上流側に向く上流側端部が先細で下流側に向かって膨らみを増し、下流側端が円弧で終わる形状を有することを特徴とする電動送風機。
【請求項９】
請求項６記載の電動送風機において、
前記ディフューザは、外周側が前記ファンの回転方向に向かって延びる湾曲した形状を有し、
前記ケーシング排出通路を形成する外殻は、前記ケーシング通風路を流れる空気の上流側に向く上流側端部が前記回転軸心線方向に離間して前記ディフューザの外周側端部と向き合うように設けられていることを特徴とする電動送風機。
【請求項１０】
請求項６記載の電動送風機において、
前記ケーシング排出通路間に設けられたケーシング通風ガイドは、前記ケーシング通風路を流れる空気の上流側に向く上流側端部が前記回転軸心線方向に離間して前記ディフューザの外周側端部と向き合うように設けられていることを特徴とする電動送風機。
【請求項１１】
請求項１０記載の電動送風機において、
前記ケーシング通風ガイドは、前記ケーシング通風路を流れる空気の下流側に向く下流側端部が前記回転軸心線方向に沿うように前記ディフューザの湾曲とは逆向きの湾曲を有することを特徴とする電動送風機。
【請求項１２】
請求項６記載の電動送風機において、
前記ステータコアは、前記内側ケーシングの内周に接しないところがある外回りが多角形状を有し、
前記内側ケーシングの内周に接しないところに前記ケーシング排出通路の流入側が位置することを特徴とする電動送風機。
【請求項１３】
請求項１または３記載の電動送風機において、
前記通風案内部材は、ディフューザが設けられている反対側に複数のリターンガイドを有し、
前記リターンガイドの外周を閉鎖する環状の閉鎖部を前記通風案内部材に設けたことを特徴とする電動送風機。
【発明の詳細な説明】
【技術分野】
【０００１】
本発明は、電気掃除機に使用される電動送風機に係わり、特にファンの排気を利用して冷却が良く行なわれる電動送風機に関するものである。
【背景技術】
【０００２】
電動送風機は、特許文献１（特開２００５−６５９１３号公報）等記載されている。
【０００３】
電動送風機は、電気掃除機の吸塵に使用されるもので、強い吸込みが要求される。電動機部と送風機部を有する電動送風機は、送風機部より排出された排気で電動機部を強制的に冷却し、電動機部の小型化、高出力化を実現している。
【０００４】
【特許文献１】特開２００５−６５９１３号公報
【発明の開示】
【発明が解決しようとする課題】
【０００５】
電動送風機は、送風機部の排気を電動機部のケーシング内に流通させて冷却をしているのが一般的である。
【０００６】
先に挙げた特許文献１に示す電動送風機は、電動送風機全体を覆うケースを有する。そして、ケースと電動送風機の間に排気流が流れる迂回路を設け、電動機部のケーシングの内外に分流させた排気を迂回路に流通させてから外部に排出している。
【０００７】
この特許文献１の電動送風機は騒音の低減を図るものであるが、必ずしも十分でない。また、電動機部の冷却に関する記載はないが、構造面から見て冷却も不十分である。
【０００８】
本発明は、上記の課題に対処し、冷却が良く行なわれ、騒音の低減も良く行なわれる電動送風機を提供することを目的とする。
【課題を解決するための手段】
【０００９】
本発明は、電動機部と送風機部とを備え、前記電動機部は、ステータとロータを有し、前記送風機部は、ファンと、前記ファンが吐出した空気の流を外周方向に導くようにファンの周囲を囲うように配置された複数のディフューザが形成される通風案内部材と、前記ファンおよび前記通風案内部材を覆うファンケーシングカバーを有するところの電動送風機において、前記ステータは、内側にステータコアを支持する内側ケーシングと、前記内側ケーシングを内置し、内側ケーシング外周との間に前記通風案内部材を通過した空気を流すケーシング通風路を形成する外側ケーシングと、前記ケーシング通風路を流れて内側ケーシング内に流入した空気を前記外側ケーシングの外に排出するケーシング排出通路を有することを特徴とする。
【発明の効果】
【００１０】
本発明によれば、騒音が低減され、電動機部の冷却が良く行なわれる電動送風機を提供できる。
【発明を実施するための最良の形態】
【００１１】
本発明の実施例を説明する前に、本発明の実施例に係わる電動送風機を内置できる電気掃除機の概要、および従来の電動送風機の概要を図１、図２２を引用して説明する。
【００１２】
図１に示すように、電気掃除機本体は、ホース継手１００１、集塵室１００２、集塵室１００２内に置かれる紙パック（集塵袋）１００３、集塵フィルタ１００４、電動機室１００５、電動機室１００５内に置かれる電動送風機１００６、電動送風機１００６を防振支持する防振ゴム１００７、電動送風機１００６に隣接して置かれるコードリール１００８を有する。
【００１３】
図２２に示すように電動送風機１００６は、電動機部２１００と、送風機部２２００を有する。
【００１４】
電動機部２１００は、ステータ２１１０と、ロータ２１２０を有する。
【００１５】
ステータ２１１０は、ケーシング２１１１と、ケーシング２１１１の内側に固定支持されるステータコア２１１２と、エンドブラケット２１１３と、ブラシ２１１４とを有する。
【００１６】
ロータ２１２０は、ロータコイルを巻装するロータコア２１２１と、回転軸２１２２と、コンミテータ２１２３を有する。
【００１７】
送風機部２２００は、回転軸２１２２に固定支持されるファン２２０１と、通風案内部材２２０２と、ファンケーシング２２０３を有する。ファンケーシング２２０３は、中央に吸込口２２０４を有する。
【００１８】
通風案内部材２２０２は、ファン２２０１の外周を囲うディフューザ２２０５と、ディフューザの反対側に設けたリターンガイド２２０６を有する。
【００１９】
ファン２２０１より吐出された空気は、通風案内部材２２０２のディフューザ２２０５、リターンガイド２２０６を流れてケーシング２１１１内に流入し、ステータ２１１０、およびロータ２１２０を冷却してケーシング２１１１の後部より排出される。
【００２０】
次に本発明の実施例について説明する。
【００２１】
まず、図２〜図１８に示す実施例について説明する。
【００２２】
図２〜図４に示すように、電動送風機４００は、電動機部１００と、送風機部２５０を有する。
【００２３】
電動機部１００は、ステータ１０１と、ロータ２００を有する。
【００２４】
ステータ１０１は、内側ケーシング１０２と、内側ケーシング１０２を内置する外側ケーシング１０３と、内側ケーシング１０２の内側に固定支持されるステータコア１０４と、ブラシ１０５を有する。ステータコア１０４には、ステータコイル１０６が巻装される。
【００２５】
外側ケーシング１０３、および内側ケーシング１０２は、一方が開口し、他方が閉じた円筒形のカップ形状を有している。外側ケーシング１０３と内側ケーシング１０２は鋼板で形成される。外側ケーシング１０３は、プラスチックでも形成できる。
ステータ１０１は、鋼板で形成された外側ケーシング１０３、および内側ケーシング１０２の二重ケーシングになっているので、丈夫である。
【００２６】
閉じられたカップの底になる底部は、外側ケーシング１０３と内側ケーシング１０２が接合されている。この接合部に施す点溶接やカシメ等により、外側ケーシング１０３と内側ケーシング１０２は結合されて一体化になっている。
【００２７】
ケーシング通風路１０７は、内側ケーシング１０２の外周と外側ケーシング１０３の外周との間に形成される。このケーシング通風路１０７は、ロータ２００の回転軸心線方向に沿うように延在する。このケーシング通風路１０７を流れる空気により、ステータ１０１の外周側は冷やされる。内側ケーシング１０２に入った空気の流れるによっても冷却される。
【００２８】
図１４〜図１６に示すように、内側ケーシング１０２は開口側をベルマウス状に拡大したつば部１０８を有する。つば部１０８の外周と外側ケーシング１０３との間に、ケーシング通風路１０７に空気が流入する流入口１０９が設けられる。
【００２９】
連結リブ１１０は、つば部１０８の外周側と外側ケーシング１０３を結合する。つば部１０８から延びる連結リブ１１０を外側ケーシング１０３に溶接またはカシメ等により結合する。
【００３０】
多数の連結リブ１１０は等間隔に配置されるので、ケーシング通風路１０７に流れ込む空気は均等になり、冷却に偏りが生じない。連結リブ１１０は幅が狭いので、空気流入の抵抗が少ない。
【００３１】
内側ケーシング１０２と外側ケーシング１０３は、底部側、および開口側が溶接またはカシメ等により結合されるので、丈夫な二重構造のケーシングになる。また、二重構造のケーシング内を送風機部２５０から吐出した空気が流れるので、冷却が良く行われ、かつ騒音の低減も良く行なわれる。
【００３２】
図３、図４、図１２、図１３、図１６に示すように、内側ケーシング１０２は、底部中央に外向きに押し出した軸受支持部１６０を有する。
【００３３】
内側ケーシング１０２は、開口側にエンドブラケット１１１を有する。
【００３４】
このエンドブラケット１１１は細長の鋼板で形成され、両端が内側ケーシング１０２のつば部１０７にネジ等で固定される。エンドブラケット１１１の中央には、外向きに押し出した軸受支持部１１２を有する。
【００３５】
ロータ２００は、図３〜図５、図１２、図１３に示すように、ロータコイル２０１を巻装するロータコア２０２と、回転軸２０３と、コンミテータ２０４を有する。
【００３６】
回転軸２０３の軸受１１３、１１４は、軸受支持部１６０、軸受支持部１１２に嵌め込み支持される。
【００３７】
ロータ２００は、軸受１１３、１１４によりステータ１０１に回転自在に支持される。コンミテータ２０４の外周には、ブラシ１０５が摺接する。ブラシ１０５、コンミテータ２０４を通じてロータコイル２０１に電気が供給され、ロータ２００は回転する。
【００３８】
電動送風機４００の電動機部１００は、いわゆる整流子電動機で、１００００ＲＰＭ程度の高速で回転する。電動機部１００の発熱、送風機部２５０の騒音を抑える対策が必要である。二重構造のケーシングとし、二重構造の間に設けたケーシング通風路１０７に送風機部２５０から吐き出された空気を流通させることで、冷却効果と騒音阻止が向上する。
【００３９】
送風機部２５０は、図６〜図１８に示すように、ファン２５１と、通風案内部材２５２と、ファンケーシングカバー２５３を有する。ファン２５１は、回転軸２０３に固定支持される。
【００４０】
ファン２５１は、遠心ファンで多数のファンブレード（図示せず）を有する。ファンブレードは、湾曲した形状を有し、外周側がファン２５１の回転方向Ｐ（図６．図７）の後方に向かうように設けられている。
【００４１】
ファン２５１は中央に吸込口２５４を有する。この吸込口２５４より吸い込まれて空気は、ファンブレードの働きにより遠心力を受けて外周方向に吐出される。
【００４２】
通風案内部材２５２は、図６、図７、図１０、図１１に示すように、一方に多数のディフューザ２５５が、他方に多数のリターンガイド２５６が形成される。
【００４３】
ディフューザ２５５は、ファン２５１の外周を囲うように配置される。ディフューザ２５５は湾曲した形状を有し、外周側がファン２５１の回転方向に向って行くように形成される。
【００４４】
ディフューザ２５５の外周側に変更流路２５７が存在する。変更流路２５７は、ディフューザ２５５の外周から流出した空気の流れ方向を折り曲げ、ケーシング通風路１０７の方向に空気の流れを向かわせる。
【００４５】
通風案内部材２５２は、隣接するディフューザ２５５の間に跨るところの外径が小さくなっている。このため、ディフューザ２５５の外周側には、隣り合うディフューザ２５５の間に跨るところに変更流路２５７が形成される。
【００４６】
リターンガイド２５６は、ディフューザ２５５の反対側に存在する。リターンガイド２５６は、本来はディフューザ２５５を流出した空気の流れ込みが行なわれる。本実施例では、リターンガイド２５６の外周を閉鎖する環状の閉鎖部２５８を設けた。
【００４７】
この閉鎖部２５８の外径は、通風案内部材２５２の小外径のところと同径になっている。
【００４８】
この閉鎖部２５８により、リターンガイド２５６の本来の機能はなくなった。閉鎖部２５８で閉鎖されたリターンガイド２５６の外周には流路２５９ができる。この流路２５９を経て、変更流路２５７からケーシング通風路１０７に向かう空気は流れる。
【００４９】
本実施例で、機能が不要なリターンガイド２５６を有する通風案内部材２５２を用いるのは、従来の電動送風機に使われている部品や、成型用金型を利用できるようにしてコストを抑えることにある。
【００５０】
ファンケーシングカバー２５３は、図３、図４、図６〜図８に示すように、円筒部２６０と、側面部２６１とを有する。側面部２６１に中央には、ファンケーシング吸込口２６２が設けられる。ファン２５１の吸引作用によって、空気はファンケーシング吸込口２６２より吸い込まれる。
【００５１】
側面部２６１が電動機部１００の外側ケーシング１０３の外周に嵌合してファンケーシングカバー２５３は電動機部１００に取り付けられる。
【００５２】
電動送風機４００の組み立ては、次のようにして行なわれる。
【００５３】
電動機部１００の組み立て後に、図１２、図１３に示すように、通風案内部材２５２が電動機部１００に取り付けられる。この後、ファン２５１を回転軸２０３に固定支持し、ファンケーシングカバー２５３を通風案内部材２５２、ファン２５１にかぶせて電動機部１００に取り付けることにより、組み立てが完了する。
【００５４】
ファンケーシングカバー２５３の内側角には、ディフューザ２５５の一部外周端が嵌合する。この嵌合により、通風案内部材２５２はセンタリングが良く行なわれた状態で固定され、ファン２５１の外周とディフューザ２５５の内周とのギャップが偏りなく揃い、送風機部２５０の性能が向上する。
【００５５】
また、通風案内部材２５２は、通風案内部材２５２の中央部を軸受支持部１１２に嵌合させてセンタリングするようにすることもできる。
【００５６】
先に述べた変更流路２５７は、ディフューザ２５５の外周側と円筒部２６０とで構成される。また、流路２５９は閉鎖部２５８とファンケーシングカバー２５３とで構成される。
【００５７】
ファンケーシングカバー２５３の円筒部２６０が外側ケーシング１０３の外周に嵌合するので、変更流路２５７および流路２５９とケーシング通風路１０７の流入口１０９との間では外周側の段差は殆どない。このため、変更流路２５７および流路２５９を流れる空気は、ケーシング通風路１０７に円滑に流れる。
【００５８】
ケーシング通風路１０７は、図３、図４、図６、図１４、図１６に示すように、流入口１０９に比べ、径方向の幅が数倍大きい。つまり、空気の通路面積は、ケーシング通風路１０７が流入口１０９に比べ、格段に大きい。
【００５９】
このため、流入口１０９からケーシング通風路１０７に流入した空気の流れは、拡散して消音が図られる。これとともに減速して流通損失が低減される。
【００６０】
また、ケーシング通風路１０７内を流れる空気は、内側ケーシング１０２と外側ケーシング１０３に接触するので、電動機部１００の発熱を吸熱して良く冷却する。
【００６１】
内側ケーシング流入口１１５は、図３、図４、図１４〜図１７に示すように、内側ケーシング１０２に設けられる。この内側ケーシング流入口１１５は、ファン２５１から離れた端部側（底部側）寄りに位置する。
【００６２】
ケーシング通風路１０７内を流れる空気は、内側ケーシング流入口１１５より内側ケーシング１０２に流入する。
【００６３】
ケーシング排出通路１１６は、図３〜図５、図１２〜図１８に示すように、ケーシング通風路１０７を貫き、内側ケーシング１０２と外側ケーシング１０３に渡されるように設けられる。
【００６４】
ステータコア１０４の外周に位置するよう設けられる４つのケーシング排出通路１１６は、内側ケーシング流入口１１５よりもファン２５１に近いところに位置するようになる。
【００６５】
内側ケーシング流入口１１５内を流れた空気は、ケーシング排出通路１１６を通過して電動送風機４００の外部に排出される。
【００６６】
空気の流れは、内側ケーシング流入口１１５を通過する際に絞られた後、内側ケーシング１０２に流れ込んで拡散する。さらにケーシング排出通路１１６で絞られて空気が電動送風機４００の外部に流出する過程における収縮、拡散の繰り替えしにより、消音がさらに図られる。このため、電動送風機４００の騒音が大幅に低減される。
【００６７】
また、空気の流れは、ケーシング通風路１０７を通過後に内側ケーシング１０２、ケーシング排出通路１１６を通過する際に、ステータコア１０４、ステータコイル１０６、ロータに触れて更に吸熱が行なわれる。このため、電動機部１００を更に良く冷却でき、電動送風機４００の温度上昇を抑えることができる。
【００６８】
更に、前述したように、内側ケーシング流入口１１５がファン２５１から離れた内側ケーシング１０２の端部側に、ケーシング排出通路１１６が内側ケーシング流入口１１５よりもファン２５１に近いところに位置するので、電動機部１００の内部を流れる空気の移動範囲が長くなる。
【００６９】
このため、電動送風機４００の騒音がより多く低減され、冷却も多く行なわれるのである。
【００７０】
ステータコア１０４は、図４に示すように、外回りが四角形状（多角形状）をしている。ステータコア１０４の角部を除く平坦部は、内側ケーシング１０２の内周に接しない。ケーシング排出通路１１６の流入側がステータコア１０４の平坦部に位置するようにした。これにより、ケーシング排出通路１１６に流入する空気の流れは阻害されることなく円滑に行なわれ、通気風量が低下しないので電動送風機４００の冷却が良く行なわれる。
【００７１】
ケーシング排出通路１１６は、図１４〜図１８に示すように、鋼材管で形成される。鋼材管で形成されるケーシング排出通路１１６の外郭は、空気の流れの上流側（流入口１０９側）に向く上流側端部が先細で下流側に向かって膨らみを増し、下流側端部が円弧で終わる形状をしている。ケーシング排出通路１１６は鋼管以外でも形成できる。
【００７２】
空気の流れに向く上流側端部が先細になっているので、丸いままのパイプと違い、ケーシング通風路１０７を流れる空気の流通抵抗が少なく、通気風量の低下を抑えることができる。
【００７３】
また、ケーシング排出通路１１６は、前述したディフューザ２５５とはロータ２００の回転軸心線方向でずれたところに位置している。そのずれた位置で、ケーシング排出通路１１６の外郭は、先細の上流側端部が湾曲しているディフューザ２５５の外周側端部と向き合うように設けられている。
【００７４】
ディフューザ２５５から吐出された空気の流れは、ディフューザ２５５の湾曲形状に沿って旋回しながらケーシング排出通路１１６に流入する。ケーシング排出通路１１６の上流側端部がディフューザ２５５の外周側端部と向き合っているので、旋回しながら流れて来る空気の流れを、背けることなく円滑に導き入れることができる。
【００７５】
このため、空気の流れが円滑に行なわれ、通気風量の低下を抑えることができる。
【００７６】
さらに、ケーシング排出通路１１６の外郭は、下流側に向かって膨らみを増す形状をしているが、それに加え、回転軸心線方向に沿うように下流側端部が向き変えされている。
【００７７】
このため、ケーシング排出通路１１６の外郭により、旋回を解かれて整流された空気の流れは、回転軸心線方向に沿う方向の円滑な流れになる。
【００７８】
また、ケーシング排出通路１１６は、ケーシング通風路１０７との気密が保たれているので、ケーシング通風路１０７を流れる空気がリークする短絡の流れが生じなく、冷却が良く行なわれる。
【００７９】
ケーシング通風ガイド１１７は、図１５、図１７、図１８に示すように、ケーシング排出通路１１６の間に複数個設けられている。
【００８０】
このケーシング通風ガイド１１７は、厚みの薄い湾曲した形状をしている。ケーシング通風ガイド１１７の上流側端部は、ディフューザ２５５の外周側端部と向き合うように設けられている。
【００８１】
ディフューザ２５５から吐出された空気の流れは、ディフューザ２５５の湾曲形状に沿って旋回しながらケーシング排出通路１１６に流入する。ケーシング通風ガイド１１７の上流側端部がディフューザ２５５の外周側端部と向き合っているので、旋回しながら流れて来る空気の流れを、背けることなく円滑に導き入れることができる。
【００８２】
このため、空気の流れが円滑に行なわれ、通気風量の低下を抑えることができる。
【００８３】
また、ケーシング通風ガイド１１７は、回転軸心線方向に沿うように下流側端部が向き変えされている。つまり、ケーシング通風ガイド１１７は、ディフューザ２５５の湾曲とは逆の湾曲になっている。
【００８４】
このため、ケーシング通風ガイド１１７により、旋回を解かれて整流された空気の流れは、回転軸心線方向に沿う方向の円滑な流れになる。
【００８５】
ケーシング排出通路１１６、ケーシング通風ガイド１１７により、空気の流れは回転軸心線方向に沿う方向の円滑な流れになるので、通気風量の低下を抑えることができる。
【００８６】
ケーシング排気口１１８は、図２、図３に示すように、外側ケーシング１０３の底部側端部に設けられる。ケーシング通風路１０７内を流れる空気は、一部がこのケーシング排気口１１８から電動送風機４００の外部に排出される。
【００８７】
ケーシング排気口１１８の大きさを変えることで、内側ケーシング流入口１１５から内側ケーシング１０２内に流入する空気の量が変えられる。ケーシング排気口１１８を閉じ、ケーシング通風路１０７を流れる全部の空気が内側ケーシング１０２内に流れ込むようにすることも必要に応じ可能である。
【００８８】
上記では、内側ケーシング１０２、外側ケーシング１０３ともに鋼板材で作ることを述べたが、外側ケーシング１０３、ケーシング排出通路１１６、ケーシング通風ガイド１１７を合成樹脂で一体に形成することにより、製作製を向上させることができる。合成樹脂を用いて部体で形成し、超音波溶接することも可能である。
【００８９】
また、この実施例で述べた電動送風機４００は、電動機部１００と送風機部２５０が同じ外径をもつ形状を有する。送風機部が電動機部よりも径大になっている従来の電動送風機に比べ、外形が単純で取り扱い易いメリットがある。
【００９０】
次に、他の実施例について、図１９〜図２１を引用して述べる。
【００９１】
この実施例の特徴は、通風案内部材２５２が先に述べた実施例と違ってリターンガイドがなく、ディフューザ２５５だけを有するところにある。他は先に述べた実施例と共通で変わるところはない。
【００９２】
通風案内部材２５２にリターンガイドがないので、リターンガイドの回転軸心線方向の長さ分だけ、電動送風機４００の大きさを縮小で小型化の良さがある。
【００９３】
リターンガイドの長さ分だけ、空気の流れる範囲が短くなる。しかし、通風案内部材２５２は、全体が合成樹脂で作られているので、冷却効果に影響を来たすことはない。
【図面の簡単な説明】
【００９４】
【図１】本発明の実施例に係わる電動送風機も内置できる電気掃除機の水平断面図である。
【図２】本発明の実施例に係わるもので、電動送風機を電動機側から見た斜視図である。
【図３】本発明の実施例に係わるもので、図２のＡ−Ａ断面図である。
【図４】本発明の実施例に係わるもので、図２のＢ−Ｂ断面図である。
【図５】本発明の実施例に係わるもので、図４のＡ−Ａ断面図である。
【図６】本発明の実施例に係わるもので、電動送風機のファンケーシングを外した分解図である。
【図７】本発明の実施例に係わるもので、電動送風機よりファンケーシングを外してファンと流体案内部材のディフューザを斜め前側から見た図である。
【図８】本発明の実施例に係わるもので、ファンケーシングの単品斜視図である。
【図９】本発明の実施例に係わるもので、電動送風機から外された電動機と流体案内部材の斜視図である。
【図１０】本発明の実施例に係わるもので、リターンガイド側から見た流体案内部材の単品図である。
【図１１】本発明の実施例に係わるもので、ディフューザ側から見た流体案内部材の単品図である。
【図１２】本発明の実施例に係わるもので、ファンケーシングが外された図２のＢ−Ｂ断面斜視図である。
【図１３】本発明の実施例に係わるもので、ファンケーシングが外された図２のＡ−Ａ断面斜視図である。
【図１４】本発明の実施例に係わるもので、電動機のステータコアが外されたステータケーシングを内部側から見た斜視図である。
【図１５】本発明の実施例に係わるもので、図１４をＡ−Ａ断面した斜視図である。
【図１６】本発明の実施例に係わるもので、図１４のＢ−Ｂ断面図である。
【図１７】本発明の実施例に係わるもので、図１６のＡ−Ａ断面図である。
【図１８】本発明の実施例に係わるもので、図１４に示すステータケーシングより内側ケーシングを除去して内部を示した斜視図である。
【図１９】本発明の他の実施例に係わるもので、電動送風機を電動機側から見た斜視図である。
【図２０】本発明の実施例に係わるもので、図１９のＡ−Ａ断面図である。
【図２１】本発明の実施例に係わるもので、図１９のＢ−Ｂ断面図である。
【図２２】従来の電動送風機の縦断面図である。
【符号の説明】
【００９５】
１００…電動機部、２５０…送風機部、１０１…ステータ、２００…ロータ、２５１…ファン、２５５…ディフューザ、２５２…通風案内部材、２５３…ファンケーシングカバー、４００…電動送風機、１０２…内側ケーシング、１０７…ケーシング通風路、１０３…外側ケーシング、１１６…ケーシング排出通路。
【図１】
2007332848.tif 000003
【図２】
2007332848.tif 000004
【図３】
2007332848.tif 000005
【図４】
2007332848.tif 000006
【図５】
2007332848.tif 000007
【図６】
2007332848.tif 000008
【図７】
2007332848.tif 000009
【図８】
2007332848.tif 000010
【図９】
2007332848.tif 000011
【図１０】
2007332848.tif 000012
【図１１】
2007332848.tif 000013
【図１２】
2007332848.tif 000014
【図１３】
2007332848.tif 000015
【図１４】
2007332848.tif 000016
【図１５】
2007332848.tif 000017
【図１６】
2007332848.tif 000018
【図１７】
2007332848.tif 000019
【図１８】
2007332848.tif 000020
【図１９】
2007332848.tif 000021
【図２０】
2007332848.tif 000022
【図２１】
2007332848.tif 000023
【図２２】
2007332848.tif 000024